(57)【特許請求の範囲】
【請求項１】
密封容器本体を構成する上部壁板の開封予定領域を取り囲むように前記上部壁板の外側面に固定された取付部材と、
前記取付部材に対して下降可能に嵌合され、且つ上部に前記密封容器本体内の内容液を流出させるノズル部が形成された導出管と、
前記導出管の上部に形成された前記ノズル部の開閉を行う開閉キャップと、前記取付部材に下部が係合するキャップカバーと、を備え、
前記導出管の下部が前記上部壁板を破断可能な尖端形状に形成され、前記導出管の外側面に係合部が形成されると共に、前記取付部材側に前記係合部が係合可能な被係合部が形成され、前記導出管が下降して前記上部壁板を破断した状態で、前記係合部が前記被係合部に係合し、
前記係合部と前記被係合部との係合は、前記取付部材に対して前記導出管の上昇を規制し、前記導出管の前記係合部の上方位置には、前記係合状態で前記取付部材の上部に係当して前記導出管の下降を規制する係当板が形成されると共に、前記導出管の前記係合部の下方位置に、前記密封容器本体が未開封の初期状態において前記被係合部に係合する抜止係合部が形成されており、前記抜止係合部は前記被係合部に対して下方への移動が許容され、
前記開閉キャップの外周面に突設するフランジ部を押し上げて前記開閉キャップを開放する突起を前記キャップカバーの内周面に周回方向に沿って設けることを特徴とする容器開封装置。
【請求項２】
請求項１記載の容器開封装置であって、
前記導出管と前記取付部材とは、該導出管が該取付部材から抜けるのを規制し且つ該導出管が該取付部材に対して下方へ移動を所定距離の範囲で許容する、可撓性を有する連繋部材で、連結されていることを特徴とする容器開封装置。
【請求項３】
請求項１又は請求項２に記載の容器開封装置であって、
前記ノズル部の上方に栓板が複数の支持脚で支持されて突設され、前記開閉キャップの上壁に前記栓板を水密的に嵌合する内容液吐出口が形成されており、前記開閉キャップの昇降動作に伴い前記ノズル部の開閉を行うことを特徴とする容器開封装置。
【請求項４】
請求項１乃至請求項３のいずれか一項に記載の容器開封装置であって、前記前記導出管の下部の尖端形状を底板で覆い、この尖端形状の尖端部から上方の前記導出管の外側面に内容液を流出させる開口部が形成されることを特徴とする容器開封装置。
【請求項５】
請求項１乃至請求項４のいずれか一項に記載の容器開封装置であって、前記密封容器本体の開封予定領域の輪郭に沿ってミシン目が形成されることを特徴とする容器開封装置
【発明の詳細な説明】
【０００１】
【発明の属する技術分野】
この発明は容器開封装置に関し、さらに詳しくは、例えば紙製の飲料用容器や合成樹脂製の各種容器などの各種の容器に用いることのできる、再封可能な容器開封装置に関する。
【０００２】
【従来の技術】
従来、容器開封装置としては、図１７及び図１８に示す、米国特許第５，１０４，００８号に係るものが知られている。この容器開封装置は、図に示すように、合成樹脂でなるボトル１の上部に飲み口部材２を装着し、この飲み口部材２の上部に昇降キャップ３を昇降可能に嵌合した構成を有する。昇降キャップの上部中央には、図１８に示すように、内容液の吐出口３Ａが形成され、飲み口部材２の上部には複数の支持脚２Ａで支持された栓板２Ｂが突設されている。このため、昇降キャップ３を飲み口部材２に対して上昇させることにより、図１８に示すように、内容液を支持脚２Ａと栓板２Ｂの間隙から矢印Ａで示すように流出させ得るようになっている。また、図１７に示すように、未開封の状態では昇降キャップ３の下部のパーフォレーション３Ｃが破断されておらず、開封する際にパーフォレーション３Ｃを破断するようになっている。
【０００３】
【発明が解決しようとする課題】
しかしながら、上記した従来の容器開封装置は、昇降キャップ３の飲み口部材２に対する昇降状態で内容液の封止・解放を行っているため、容器としては図示したボトルのように、予め上部が開口しているものが用いられる。このため、内容液の封止は、昇降キャップ３と飲み口部材２との接触具合に依存しており、ともすると容器を未開封の状態で搬送する際などに内容液が漏れる惧れがあった。また、紙製の容器の場合には、容器本体が比較的柔軟であるため、予め開口部を形成することは好ましくなく、このような容器開封装置を紙製容器に適用することは困難であった。
【０００４】
本発明は、紙製の容器に適用でき、且つ容器の開封性及び再封性の良好な容器開封装置を提供することを目的としている。
【０００５】
【課題を解決するための手段】
請求項１記載の発明は、容器開封装置であって、密封容器本体を構成する上部壁板の開封予定領域を取り囲むように前記上部壁板の外側面に固定された取付部材と、前記取付部材に対して下降可能に嵌合され、且つ上部に前記密封容器本体内の内容液を流出させるノズル部が形成された導出管と、前記導出管の上部に形成された前記ノズル部の開閉を行う開閉キャップと、前記取付部材に下部が係合するキャップカバーと、を備え、前記導出管の下部が前記上部壁板を破断可能な尖端形状に形成されていることを特徴とする。
【０００６】
従って、請求項１記載の発明では、導出管が取付部材に対して下降すると、導出管の下部が尖端形状に形成されているため、密封容器本体の上部壁板が破断される。また、開閉キャップの開け閉めにより、導出管のノズル部が解放される。この結果、内容液を導出管を介してノズル部から流出させることが可能になる。開閉キャップを導出管に対して下降させると、ノズル部は閉塞されて内容液がノズル部から流出するのを防止できる。なお、開閉キャップは、例えば、導出管に対して昇降するものや、スクリュウ式に回転・嵌合させるキャップなどを適用することができる。
【０００７】
さらに、前記導出管の外側面に係合部が形成されると共に、前記取付部材側に前記係合部が係合可能な被係合部が形成され、前記導出管が下降して前記上部壁板を破断した状態で、前記係合部が前記被係合部に係合することを特徴とする。
【０００８】
従って、導出管の外側面に形成された係合部が取付部材の被係合部に係合することにより、導出管が密封容器本体を破断した状態で保持することができる。このため、導出管を取付部材に保持した状態で、開閉キャップの開閉動作を行うことができる。
【０００９】
また、前記係合部と前記被係合部との係合は、前記取付部材に対して前記導出管の上昇を規制し、前記導出管の前記係合部の上方位置には、前記係合状態で前記取付部材の上部に係当して前記導出管の下降を規制する係当板が形成されると共に、前記導出管の前記係合部の下方位置に、前記密封容器本体が未開封の初期状態において前記被係合部に係合する抜止係合部が形成されており、前記抜止係合部は前記被係合部に対して下方への移動が許容されていることを特徴とする。
【００１０】
従って、係合部と被係合部に対して上昇しないように規制されるため、導出管が取付部材から抜けるのを防止できる。また、この状態で係当板が取付部材の上部に係当するため、導出管が取付部材に対してこれ以上下降するのを防止できる。このため、開閉キャップを下降させたときに、導出管が密封容器本体側へ移動するのを防止できる。また、密封容器本体が未開封の初期状態で被係合部に抜止係合部が係合しているため、例えば容器を搬送する過程で導出管が取付部材から抜けて外れるのを防止することができる。さらに、この抜止係合部が被係合部に対して下降することが許容されているため、容器から内容液を出す際に、導出管を下降させて密封容器本体の上部壁板を破断させることができる。
【００１１】
請求項２記載の発明は、請求項１記載の容器開封装置であって、前記導出管と前記取付部材とは、該導出管が該取付部材から抜けるのを規制し且つ該導出管が該取付部材に対して下方へ移動を所定距離の範囲で許容する、可撓性を有する連繋部材で、連結されていることを特徴とする。
【００１２】
従って、請求項２記載の発明では、請求項１記載の発明の作用に加えて、連繋部材が導出管が取付部材から外れるのを防止すると共に、導出管が不要に密封容器本体内に入り込むのを防止することができる。
【００１３】
請求項３記載の発明は、請求項１又は請求項２に記載の容器開封装置であって、前記ノズル部の上方に栓板が複数の支持脚で支持されて突設され、前記開閉キャップの上壁に前記栓板を水密的に嵌合する内容液吐出口が形成されており、前記開閉キャップの昇降動作に伴い前記ノズル部の開閉を行うことを特徴とする。
【００１４】
従って、請求項３記載の発明では、請求項１又は請求項２に記載の発明の作用に加えて、導出管のノズル部の上方に栓板が支持脚で支持されているため、内容液はノズル部から流出し、支持脚の間を介して開閉キャップの内容液吐出口から取り出すことができる。開閉キャップを下降させると、内容吐出口は栓板に水密的に嵌合して、内容液が外へ漏れ出るのを防止する。
請求項４記載の発明では、請求項１乃至請求項３のいずれか一項に記載の容器開封装置であって、前記前記導出管の下部の尖端形状を底板で覆い、この尖端形状の尖端部から上方の前記導出管の外側面に内容液を流出させる開口部が形成されることを特徴としている。
請求項５記載の発明では、請求項１乃至請求項４のいずれか一項に記載の容器開封装置であって、前記密封容器本体の開封予定領域の輪郭に沿ってミシン目が形成されることを特徴としている。
【００１５】
【発明の実施の形態】
以下、この発明に係る容器開封装置の詳細を図面に示す実施形態に基づいて説明する。
【００１６】
（実施形態１）
図１〜図６は、本発明に係る容器開封装置の実施形態１を示す断面図である。
図１は、本実施形態の容器開封装置１０の未開封状態（初期状態）を示している。この容器開封装置１０は、紙製の密封容器本体１１の上部壁板１１Ａの上面に設けられている。容器開封装置１０は、上部壁板１１Ａの上面に接着・固定される管状の取付部材１２と、この取付部材１２に嵌合された導出管１３と、導出管１３の上部に昇降可能に嵌合された開閉キャップとしての昇降キャップ１４と、取付部材１２に下部が係合するキャップカバー１５と、から構成されている。
【００１７】
取付部材１２は、上部壁板１１Ａに接着される座板部１２Ａと、この座板部１２Ａの内側から立ち上がる筒部１２Ｂと、を有し、筒部１２Ｂの内周面には、被係合部としての溝１２Ｃが周回して形成されている。また、筒部１２Ｂの下部外周面には、キャップカバー１５の下部内周面に形成された周回突起部１５Ａが係合する係合溝１２Ｄが周回して形成されている。
【００１８】
導出管１３は、取付部材１２の内側に水密的に嵌合し、下部が斜めに切られて尖端部１３Ａとなっている。また、導出管１３における尖端部１３Ａのやや上方には、外周面に周回する抜止係合部としての抜止突起１３Ｂが形成されている。この抜止突起１３Ｂは、図１に示すように初期状態では、取付部材１２の溝１２Ｃに係合している。なお、この係合構造は、導出管１３が取付部材１２に対して上昇する方向への移動を規制し、導出管１３が下降移動するのを許容する構造となっている。また、導出管１３の外周面の中間位置には、使用時に取付部材１２の溝１２Ｃに係合する係合突起１３Ｃが周回して形成されている。さらに、係合突起１３Ｃのやや上方には、使用時に取付部材１２の上面に係当するフランジ状の係当板１３Ｄが周回して形成されており、導出管１３がそれ以上下降するのを防止することができる。導出管１３の上端部には、中央にノズル部１３Ｅが開口された上板１３Ｆが形成されている。また、導出管１３の上部の外周面には、昇降キャップ１４が抜けるのを防止するフランジ状の突部１３Ｇが周回して形成されている。そして、導出管１３のノズル部１３Ｅの周縁の上板１３Ｆからは、複数の支持脚１３Ｈが立設され、これら支持脚１３Ｈの上部に栓板１３Ｊが上板１３Ｆと平行に形成されている。
【００１９】
昇降キャップ１４は、上記した導出管１３の上部に嵌合され、下部内周面に抜け止め用の突起１４Ａが周回して形成されている。また、昇降キャップ１４の外周面には、外側へ突出するフランジ状の解放用鍔部１４Ｂが形成されている。この解放用鍔部１４Ｂは、キャップカバー１５の内周面の中間に周回方向に沿って間欠的に突設させた半球状の突起１５Ｂが、キャップカバー１５の取り外し動作及び装着動作に伴い係当することにより、昇降キャップ１４を導出管１３に対して昇降させるようになっている。さらに、昇降キャップ１４の上部には、導出管１３の栓板１３Ｊと同一形状の内容液吐出口１４Ｃが形成されている。この内容液吐出口１４Ｃは、昇降キャップ１４が導出管１３に対して下降した状態で、栓板１３Ｊを水密的に嵌合が可能となっている。
【００２０】
以上、本実施形態の容器開封装置１０の構成を説明したが、次に、この装置の作用・動作を図面に従って説明する。
【００２１】
図１は、初期状態の容器開封装置１０を示している。この状態では、導出管１３の抜止突起１３Ｂが取付部材１２の溝１２Ｃに係合しており、導出管１３の尖端部１３Ａは、密封容器本体１１の上部壁板１１Ａより上方に位置し上部壁板１１Ａを破断していない。また、昇降キャップ１４は、導出管１３に対して下降した位置にあるため、栓板１３Ｊは内容液吐出口１４Ｃに水密的に嵌合した状態にある。
【００２２】
図２は、内容液を取り出すに当たり、まず、キャップカバー１５を上昇させて取り外した状態を示している。このような取り外し動作に伴い、キャップカバー１５の内周面に形成された突起１５Ｂは、昇降キャップ１４の解放用鍔部１４Ｂを押し上げ、昇降キャップ１４は上昇して解放状態となる。しかし、この状態では、密封容器本体１１の上部壁板１１Ａは尖端部１３Ａで破断されていないため、内容液が漏洩することはない。
【００２３】
次に、図３に示すように、一旦上昇した昇降キャップ１４を押し下げ、さらに図中太い矢印で示す方向に昇降キャップ１４を押し下げると、導出管１３の下部の抜止突起１３Ｂが取付部材１３の内周面に形成された溝１２Ｃから外れて、図４に示すように、導出管１３は下降して尖端部１３Ａで密封容器本体１１の上部壁板１１Ａを破断させて開口させる。導出管１３の下降に伴い、導出管１３の外周面に形成された係合突起１３Ｃは取付部材１２の溝１２Ｃに係合し、同時に導出管１３側の係当板１３Ｄが取付部材１２の上部に係当する。これによって、係合突起１３Ｃにより導出管１３が取付部材１２から抜けるのを防止でき、しかも係合板１３Ｄで導出管１３がそれ以上下降するのを防止できる。この状態では、導出管１３が取付部材１２に保持されているため、昇降キャップ１４を図４に示す矢印ａ方向に昇降させることができる。
【００２４】
次に、図５に示すように、昇降キャップ１４を解放用鍔部１４Ｂを手で持って上昇させると昇降キャップの突起１４Ａが導出管１３の突部１３Ｇに係当して停止し、この状態で内容液の取り出しが可能になる。図５中の矢印ｂは内容液の流出経路を示している。この状態では、昇降キャップ１４の内容液吐出口１４Ｃから別途用意したコップなどの器に内容液を注ぐことや、直接昇降キャップ１４に口を当てて内容液を飲むことが可能になる。
【００２５】
そして、内容液の注ぎ出しが終わった後は、再度昇降キャップ１４を手で下降させて、昇降キャップ１４の内容液吐出口１４Ｃと導出管１３側の栓板１３Ｊを密嵌させることにより、内容液の漏洩を防止でき、再封を行うことができる。さらに、キャップカバー１５を取付部材１２に装着することにより、昇降キャップ１４の内容液吐出口１４Ｃを含む装置の略全体を覆うことができ、衛生的に保存することが可能になる。なお、キャップカバー１５の内周面に形成された突起１５Ｂは、装置の際に昇降キャップ１４の解放用鍔部１４Ｂと係当して昇降キャップ１４を押し下げる作用があるため、手で昇降キャップ１４を閉じ忘れても、キャップカバー１５を装着する動作を行うことで昇降キャップ１４を閉じることができる。また、この状態から再度キャップカバー１５を取り外せば、突起１５Ｂが解放用鍔部１４Ｂを押し上げるため、手で昇降キャップ１４を押し上げる必要がなく、手間が省けるという利点がある。なお、図６は、この再封動作が完了した状態を示している。
【００２６】
以上、実施形態１について説明したが、本実施形態では、未開封状態で密封容器本体１１の上部壁板１１Ａが破断されていないため、紙製の容器本体に容器開封装置１０を設けても、内容液が漏洩することなく流通経路に載せることができる。また、導出管１３を押すという簡単な動作で密封容器本体１１の上部壁板１１Ａを破断させることができる。この状態では、導出管１３が取付部材１２に保持されているため、昇降キャップ１４の昇降動作を容易に行うことができる。
【００２７】
（実施形態２）
図７〜図９は、本発明に係る容器開封装置の実施形態２を示す断面図である。なお、上記実施形態１と同一部分には同一の符号を付してその説明を省略する。本実施形態では、上記した実施形態１で設けた導出管１３の抜止突起１３Ｂがなく、取付部材１２と導出管１３とが、可撓性を有する樹脂フィルムでなる連繋部材１６で連結された構成となっている。この連繋部材１６は、初期状態において導出管１３が取付部材１２から抜け出るのを防止し、導出管１３を押し込んで上部壁板１１Ａを破断する際に余計に導出管１３が押し込まれるのを防止する。このため、図７に示すように初期状態では、連繋部材１６は撓んだ状態で、取付部材１２と導出管１３との間に収納されている。本実施形態２の他の構成は、上記した実施形態１と略同様である。なお、図８は上部壁板１１Ａを導出管１３で破断して昇降キャップ１４を上昇させた状態、図９は再封してキャップカバー１５を装着した状態を示している。
【００２８】
本実施形態２では、フィルム状の連繋部材１６で取付部材１２と導出管１３とが連結されているため、取付部材１２と導出管１３との嵌合を比較的ルーズに設定しても内容液の漏洩を確実に防止できるという利点がある。
【００２９】
（実施形態３）
図１０〜図１２は、本発明に係る容器開封装置の実施形態２を示す断面図である。本実施形態の容器開封装置１０においても上記した実施形態２と同様に、導出管１３には、抜止突起１３Ｂがなく、取付部材１２と導出管１３とが、可撓性を有する樹脂フィルムでなる連繋部材１６で連結された構成となっている。この連繋部材１６は、初期状態において導出管１３が取付部材１２から抜け出るのを防止し、導出管１３を押し込んで上部壁板１１Ａを破断する際に余計に導出管１３が押し込まれるのを防止する。また、この導出管１３の上部は、単に筒穴１３Ｋが開口する構造であり、導出管１３の上部には開閉キャップとしてのスクリュウキャップ１７が螺合して開閉を行うようになっている。さらに、初期状態（開閉前）においては、取付部材１２の上端とスクリュウキャップ１７の下端との間にスペーサリング１８が周回して介在されている。このため、図１０に示すように初期状態では、連繋部材１６は張った状態で、取付部材１２と導出管１３とを連繋している。このスペーサリング１８は、図示しない切り取り部で切ることにより、除去可能となっている。
【００３０】
図１１は、スペーサリング１８を除去した状態を示している。この状態では、スクリュウキャップ１７及び導出管１３の下降を妨げるものは、上部壁板１１Ａのみであり、図１２に示すようにスクリュウキャップ１７を下に押し下げるとにより、密封容器本体１１に対して導出管１３が下降して尖端部１３Ａで上部壁板１１Ａをパーフォレーションに沿って破ることができる。そして、スクリュウキャップ１３を持って導出管１３を上昇させた後、スクリュウキャップ１３を外せば、密封容器本体１１の上面から突出した形状の飲み口とすることができる。また、導出管１３が密封容器本体１１の上部壁板１１Ａに差し込まれた状態でスクリュウキャップ１３を外して飲み口とすることもできる。この導出管１３の出没は、使用態様に応じて適宜選択することができる。
【００３１】
以上、実施形態１〜実施形態３について説明したが、本発明はこれらに限定されるものではなく、構成の要旨に付随する各種の設計変更が可能である。例えば、上記した各実施形態では、導出管１３の尖端部１３Ａを管を斜めに切断した形状に形成したが、図１３に示すように斜めに切断した管底部に底板１３Ｋを形成した形状としてもよいし、図１４に示すように管の下部に複数の尖端１３ａを形成してもよい。また、図１５に示すように、取付部材１２で囲まれる、密封容器本体１１の上部壁板１１Ａの開封予定領域の輪郭に沿って、ミシン目状のパーフォレーション１１ａを形成しておけば、導出管１３の尖端部１３Ａによる破断をより容易に行うことができる。さらに、図１６に示すように、上部壁板１１Ａの開封予定領域に開口部１１ｂを形成し、裏面（内側面）にラミネートフィルム１１Ｂをプレラミネートして開口部１１ｂを閉塞した構造としてもよい。
【００３２】
なお、上記した各実施形態は、典型的なキャップ形状を示したが、取付部材１２の取付構造、昇降キャップ１４やスクリュウキャップ１７の形状、並びに、キャップカバーの有無などは、これらの実施形態に限定されるものではなく、各種の構造のキャップ構造を本発明に適用することができる。
【００３３】
【発明の効果】
以上の説明から明らかなように、請求項１記載の発明によれば、密封容器本体に開口部のない未開封のまま流通経路の載せることができるため、例えば紙製の容器などの柔軟な素材で形成された容器に容器開封装置を適用できる。
【００３４】
さらに、導出管を取付部材に保持した状態で、開閉キャップの開閉動作を安定して行うことができる。
【００３５】
そして、導出管が取付部材から抜けるのを防止できる。また、開閉キャップを下降させたときに、導出管が必要以上に密封容器本体側へ移動するのを防止できる。さらに、密封容器本体が未開封の初期状態で被係合部に抜止係合部が係合しているため、例えば容器を搬送する過程で導出管が取付部材から抜けて外れるのを防止することができる。
【００３６】
請求項２記載の発明によれば、請求項１記載の発明の効果に加えて、連繋部材が導出管が取付部材から外れるのを防止すると共に、導出管が不要に密封容器本体内に入り込むのを防止する効果がある。
【００３７】
請求項３記載の発明によれば、請求項１又は請求項２の発明の効果に加えて、導出管のノズル部の上方に栓板が支持脚で支持されているため、内容液はノズル部から流出し、支持脚の間を介して開閉キャップの内容液吐出口から取り出すことができる。また、開閉キャップを下降させることで、内容液が外へ漏れ出るのを防止する効果がある。
【図面の簡単な説明】
【図１】本発明に係る容器開封装置の実施形態１の初期状態を示す断面図である。
【図２】実施形態１におけるキャップカバーを外した状態を示す断面図である。
【図３】実施形態１における昇降キャップを押し下げる状態を示す断面図である。
【図４】実施形態１における導出管を押し下げた状態を示す断面図である。
【図５】実施形態１における開封状態を示す断面図である。
【図６】実施形態１における再封状態を示す断面図である。
【図７】本発明に係る容器開封装置の実施形態２におけるキャップカバーを外した状態を示す断面図である。
【図８】実施形態２における開封状態を示す断面図である。
【図９】実施形態２における再封状態を示す断面図である。
【図１０】本発明に係る容器開封装置の実施形態３の開封前の状態を示す断面図である。
【図１１】実施形態３におけるスペーサリングを外した状態を示す断面図である。
【図１２】実施形態３における開封状態を示す断面図である。
【図１３】本発明に係る容器開封装置の変形例を示す要部断面図である。
【図１４】本発明に係る容器開封装置の他の変形例を示す要部側面図である。
【図１５】本発明に係る容器開封装置の他の変形例を示す要部断面図である。
【図１６】本発明に係る容器開封装置の他の変形例を示す要部断面図である。
【図１７】従来例の要部断面図である。
【図１８】従来例の要部断面図である。
【符号の説明】
１０  容器開封装置
１１  密封容器本体
１１Ａ  上部壁板
１２  取付部材
１２Ｃ  溝（被係合部）
１３  導出管
１３Ａ  尖端部
１３Ｂ  抜止突起
１３Ｃ  係合突起（係合部）
１３Ｄ  係当板
１３Ｅ  ノズル部
１３Ｊ  栓板
１４  昇降キャップ
１４Ｂ  解放用鍔部（フランジ部）
１４Ｃ  内容液吐出口
１５  キャップカバー
１５Ｂ  突起
【図１】
0004353557.tif 000002
【図２】
0004353557.tif 000003
【図３】
0004353557.tif 000004
【図４】
0004353557.tif 000005
【図５】
0004353557.tif 000006
【図６】
0004353557.tif 000007
【図７】
0004353557.tif 000008
【図８】
0004353557.tif 000009
【図９】
0004353557.tif 000010
【図１０】
0004353557.tif 000011
【図１１】
0004353557.tif 000012
【図１２】
0004353557.tif 000013
【図１３】
0004353557.tif 000014
【図１４】
0004353557.tif 000015
【図１５】
0004353557.tif 000016
【図１６】
0004353557.tif 000017
【図１７】
0004353557.tif 000018
【図１８】
0004353557.tif 000019